(57)【要約】【課題】従来のＵＳＢコネクタは、ＵＳＢコネクタを抜く方向の力が加わると容易に脱落する可能性があった。また、コネクタ脱落防止の機構を増設することができなかった。また、ＵＳＢコネクタの実装方向により脱落防止の機構を変更する必要があった。【解決手段】ＵＳＢコネクタ４の近傍のＵＳＢケーブル５を、クランク状に固定する。固定には、ＵＳＢケーブル固定ガイド１ｃ、２ｃを有する脱落防止機構を増設する。【効果】本発明により、ＵＳＢコネクタの脱落防止を容易に実現できる。また、既存のＵＳＢコネクタに容易に増設することができる。【選択図】　図３
2004022469.tif 000002
【特許請求の範囲】
【請求項１】
ＵＳＢコネクタ近傍のケーブルをクランク状に屈折して固定することにより、ＵＳＢコネクタを脱落しにくくする機能を有することを特徴とする脱落防止機構。
【請求項２】
既存のＵＳＢコネクタに増設可能な機構を特徴とする脱落防止機構。
【請求項３】
ＵＳＢコネクタの実装方向に関わらず、ＵＳＢコネクタ脱落防止の機能を有することを特徴とする脱落防止機構。
【請求項４】
ＵＳＢコネクタのＴｙｐｅＡ、ＴｙｐｅＢコネクタへも適用可能なことを特徴とする脱落防止機構。
【請求項５】
ＵＳＢ以外に、接触力のみで接続しているコネクタへも適用可能なことを特徴とする脱落防止機構。
【発明の詳細な説明】
【０００１】
【発明の属する技術分野】
本発明は、ＵＳＢのインタフェースを有する情報処理装置等に接続するＵＳＢコネクタの脱落防止に関するものである。
【０００２】
【従来の技術】
従来の技術では、ＵＳＢのインタフェースに接続したＵＳＢケーブルに、抜ける方向の力が加わると、ロック機構がないため容易に脱落する可能性があった。
【０００３】
また、特願平１１−３１１８５０号、特願２０００−８５０７８号のように、情報処理装置側に脱落防止の機構あるいは脱落防止の機構を取りつける穴などが必要であった。
【０００４】
また、特願２０００−１４２４２６号のように、特殊な形状をしたＵＳＢコネクタが必要であった。
【０００５】
また、特願平１１−３１１８５０号、特願２０００−８５０７８号、特願２０００−１４２４２６号のように、既存の情報処理装置あるいはＵＳＢケーブルに、後から増設することは不可能であった。
【０００６】
また、特願平１１−３１１８５０号、特願２０００−８５０７８号、特願２０００−１４２４２６号のように、ＵＳＢコネクタの実装方向が変わると、接続できなくなる可能性があった。
【０００７】
【発明が解決しようとする課題】
本発明は、情報処理装置等のＵＳＢコネクタに接続されるＵＳＢケーブルに、ＵＳＢコネクタが抜ける方向の力が加わっても、容易にＵＳＢコネクタが脱落しないことを目的とする。
【０００８】
さらに、従来技術ではＵＳＢインタフェースを有する標準的な情報処理装置あるいはＵＳＢケーブルに、後から増設する配慮がされていなかった。本発明はＵＳＢインタフェースを有する標準的な情報処理装置あるいはＵＳＢケーブルに、後から増設可能とすることを目的とする。
【０００９】
さらに、従来技術では、情報処理装置のＵＳＢコネクタ実装方向により、脱落機構の取り付け方法や方向を変更する必要があった。本発明は、情報処理装置側のＵＳＢコネクタの実装方向にかかわらず、増設により脱落防止の効果を得ることを目的とする。
【００１０】
さらに、ＵＳＢコネクタに限らず、同様に接触力だけで保持される全てのコネクタに適用可能とする。
【００１１】
【課題を解決するための手段】
上記目的を達成するために、ＵＳＢケーブル側のＵＳＢコネクタの近傍に、ＵＳＢケーブルをクランク状に屈折して固定する機構を設ける。本機構により、ＵＳＢケーブルにＵＳＢコネクタが抜ける方向の力が加わった場合、ＵＳＢコネクタの嵌合部分には回転方向の力が加わるため情報処理装置側のＵＳＢコネクタとの接触力が増加する。これにより容易に脱落しなくなる。
【００１２】
また、脱落防止機構はＵＳＢコネクタ嵌合部の根元とケーブル部分に装着する構造とすることにより、既存のＵＳＢコネクタにも増設可能である。
【００１３】
また、ＵＳＢコネクタに対してクランク状に屈折する方向を変化させることにより、ＵＳＢコネクタの実装方向にかかわらず、効果を発揮することができる。
【００１４】
また、ＵＳＢコネクタに限らず、ロック機構がなく接触力のみで保持される種類のコネクタに適用可能である
【００１５】
【発明の実施の形態】
以下本発明の構造例を図１、図２により説明する。
【００１６】
図１は、フレキシブルなＵＳＢコネクタ取付け部１ａ、クランク固定部１ｂを有し、ＵＳＢコネクタ取付け部１ａとクランク固定部１ｂは接合部分１ｆで接合されている。また、ＵＳＢケーブル固定ガイド１ｃには、ＵＳＢケーブル固定部１ｄ、１ｅを有する構造となっている。
【００１７】
図２は、フレキシブルなＵＳＢコネクタ取付け部２ａと、ＵＳＢケーブル固定ガイド２ｂを接合部分２ｅで直接接続した例である。ＵＳＢケーブル固定ガイド２ｂには、ＵＳＢケーブル固定部２ｃ、２ｄを有する。
【００１８】
図３は、図１をＵＳＢケーブルに実装した例である。
【００１９】
情報処理装置ＵＳＢコネクタ３にＵＳＢコネクタ４が嵌合され、ＵＳＢケーブル５がつながっている。ＵＳＢコネクタの端子は端子接触部７で接触している。ＵＳＢコネクタ４の嵌合部分根元にＵＳＢコネクタ取付け部１ａをはめる。この際、接合部分１ｆの方向を、ＵＳＢケーブル５を屈折させたい方向にして取付けることにより、クランク状に屈折する方向を調節する。また、ＵＳＢケーブル固定部１ｅに、ＵＳＢケーブル５（ＵＳＢコネクタ４に近い方）を固定する。また、ＵＳＢケーブル固定部１ｄにＵＳＢケーブル５（ＵＳＢコネクタ４に遠い方）を固定する。上記によりＵＳＢケーブル５はＵＳＢコネクタ４の近傍でクランク状に屈折し固定される。また、クランク状に屈折する方向は、接合部分１ｆの方向と同一となる。本方式において、ＵＳＢケーブル５の屈折する方向を変更したい場合には、取付ける際の接合部分１ｆの方向を変更する。
【００２０】
図４は、図２をＵＳＢケーブルに実装した例である。
【００２１】
情報処理装置ＵＳＢコネクタ３にＵＳＢコネクタ４が嵌合され、ＵＳＢケーブル５がつながっている。ＵＳＢコネクタの端子は端子接触部７で接触している。ＵＳＢコネクタ４の嵌合部分根元にＵＳＢコネクタ取付け部２ａをはめる。この際、ＵＳＢケーブル固定ガイド２ｂの接する面を、ＵＳＢコネクタ４の上下左右どの面に接触させるかを選択することにより、クランク状に屈折する方向を調節する。
【００２２】
また、ＵＳＢケーブル固定部２ｄに、ＵＳＢケーブル５（ＵＳＢコネクタ４に近い方）を固定する。また、ＵＳＢケーブル固定部２ｃにＵＳＢケーブル５（ＵＳＢコネクタ４に遠い方）を固定する。上記によりＵＳＢケーブル５はＵＳＢコネクタ４の近傍でクランク状に屈折し固定される。本方式において、ＵＳＢケーブル５の屈折する方向を変更したい場合には、ＵＳＢケーブル固定ガイド２ｂとＵＳＢコネクタ４の接触する面を変更することによりクランク方向を変更することができる。
【００２３】
図５は、図１をＵＳＢケーブルに実装し、実際にＵＳＢコネクタ４が抜ける方向の力８がかかった場合の動作例である。
【００２４】
ＵＳＢコネクタ４が抜ける方向の力８がかかると、ＵＳＢコネクタ４には回転方向の力９がかかる。その結果、情報処理装置ＵＳＢコネクタ３とＵＳＢコネクタ４の嵌合部分の接触点６ａ、６ｂには、通常時より大きな接触力が生じるため脱落しにくくなる。端子接触部７は、端子が斜めになった場合でも接触できるようにバネ状になっているため、回転方向の力９が働いても端子の接触には問題ない。
【００２５】
本実施例によれば、ＵＳＢコネクタ４の脱落防止に効果がある。また、本実施例は、既存のＵＳＢケーブルに増設可能である。さらに、情報処理装置のＵＳＢコネクタ実装方向にかかわらず、効果を発揮できる。さらに、本発明はＵＳＢコネクタに限らず、同様に接触力のみで嵌合されているタイプのコネクタにも適用可能である。
【００２６】
【発明の効果】
本発明によれば、ＵＳＢコネクタの接触力の増大が図れるので、脱落防止に効果がある。
【００２７】
また、情報処理装置に接続された標準的なＵＳＢケーブルに後から増設することができるので、情報処理装置側あるいはＵＳＢケーブルは既存のまま適用することができる。
【００２８】
また、ＵＳＢコネクタに対してクランク状の屈折する方向が変更できるので、情報処理装置のＵＳＢコネクタの実装方向にかかわらず適用することができる。また、ＵＳＢコネクタに限らず、接触力のみで嵌合するコネクタに適用可能である。
【図面の簡単な説明】
【図１】フレキシブルなクランク固定方式の一構造例例である。
【図２】ＵＳＢケーブル固定ガイド方式の一実施例である。
【図３】図１の実装例である。
【図４】図２の実装例である。
【図５】本発明の動作例である。
【符号の説明】
１ａ…ＵＳＢコネクタ取付け部、１ｂ…クランク固定部、１ｃ…ＵＳＢケーブル固定ガイド、１ｄ…ＵＳＢケーブル固定部（ＵＳＢコネクタに遠い方）、１ｅ…ＵＳＢケーブル固定部（ＵＳＢコネクタに近い方）、１ｆ…接合部分、２ａ…ＵＳＢコネクタ取付け部、２ｂ…ＵＳＢケーブル固定ガイド、２ｃ…ＵＳＢケーブル固定部（ＵＳＢコネクタに遠い方）、２ｄ…ＵＳＢケーブル固定部（ＵＳＢコネクタに近い方）、２ｅ…接合部分、３…情報処理装置ＵＳＢコネクタ、４…ＵＳＢコネクタ、５…ＵＳＢケーブル、６ａ…嵌合部分の接触点、６ｂ…嵌合部分の接触点、７…端子接触部、８…ＵＳＢコネクタ４が抜ける方向の力、９…回転方向の力。
【図１】
2004022469.tif 000003
【図２】
2004022469.tif 000004
【図３】
2004022469.tif 000005
【図４】
2004022469.tif 000006
【図５】
2004022469.tif 000007